(57)【要約】      （修正有）【課題】小型プロジェクタを用いて、家庭で疑似的なプロジェクションマッピングを楽しむことが可能なプロジェクションシステム及びこれに用いるスクリーンを提供する。【解決手段】プロジェクタ１と、このプロジェクタ１の投影画像を投影するスクリーン３からなるプロジェクションシステムであって、スクリーン３は、構造物を表現する模様、或は凹凸部が設けられていることを特徴とするものである。【選択図】図１
0003199779.tif 000002
【実用新案登録請求の範囲】
【請求項１】
プロジェクタと、このプロジェクタの投影画像を投影するスクリーンからなるプロジェクションシステムであって、前記スクリーンは、構造物を表現する模様、或は凹凸部が設けられていることを特徴とするプロジェクションシステム。
【請求項２】
前記スクリーンは、前記プロジェクタの投影画像に対応した複数のスクリーンからなることを特徴とする請求項１項記載のプロジェクションシステム。
【請求項３】
前記複数のスクリーンは、一端で接合され１つの絵本を構成することを特徴とする請求項１項記載のプロジェクションシステム。
【請求項４】
プロジェクタの映像を投影するスクリーンであって、構造物を表現する模様、或は凹凸が設けられていることを特徴とするプロジェクションシステム用スクリーン。
【請求項５】
前記スクリーンは、一端で接合された複数のスクリーンからなり、１つの絵本を構成することを特徴とする請求項４項記載のプロジェクションシステム用スクリーン。
【考案の詳細な説明】
【技術分野】
【０００１】
本考案は、小型プロジェクタを用いた投影システム、及びこれに用いるプロジェクタ用のスクリーンに関するものである。
【背景技術】
【０００２】
従来から映像を大画面で鑑賞するためにプロジェクタが用いられている。
従来のプロジェクタを用いたプロジェクションシステムにおいては、静止画であっても、また映画や家庭で撮影した動画であっても、四角形のスクリーンを用いて投影が行われている。
【０００３】
また、近年、駅や城などの立体構造物をスクリーンとして、そこにプロジェクタで創作映像を投影するプロジェクションマッピングという投影が行われている。
これは、投影スクリーンが立体形状であるため、この立体の凹凸に合わせて、元の映像を画像処理して、投影するものである。
【０００４】
また、近年、小型のプロジェクタが開発されているが、通常のプロジェクタに比べ、その画像は暗く、そのため、プレゼンテーションや映像の鑑賞に用いることが難しいものとなっている。
【０００５】
【特許文献１】特開２０１５−９１１０１号
【考案の開示】
【考案が解決しようとする課題】
【０００６】
本考案は、小型プロジェクタの利用形態を拡張するものであり、例えば、プロジェクションマッピングを、自宅で簡単に疑似体験できるシステムを提供するものである。
本考案では、従来のプロジェクションマッピングの対象物を模倣した模様や凹凸のあるスクリーンを用いて、これに小型プロジェクタの投影映像を投影することによって臨場感ある映像を楽しむことを可能とするものである。
【０００７】
更に、本考案は、単に映像を楽しむだけでなく、例えば静止画である絵本に、動きを追加することが可能なプロジェクション絵本システムを提供するものである。
【課題を解決するための手段】
【０００８】
上記課題を解決するため、本考案は、請求項１に記載するように、プロジェクタと、このプロジェクタの投影画像を投影するスクリーンからなるプロジェクションシステムであって、前記スクリーンは、構造物を表現する模様、或は凹凸部が設けられていることを特徴としている。
【０００９】
また、請求項２に示すように、前記スクリーンは、前記プロジェクタの投影画像に対応した複数のスクリーンからなることを特徴としている。
また、請求項３に示すように前記複数のスクリーンは、一端で接合され１つの絵本を構成することを特徴とするものである。
また、請求項４に示すように、プロジェクションシステム用スクリーンであって、構造物を表現する模様、或は凹凸が設けられていることを特徴としている。
更に、請求項５に示すように、本考案のスクリーンは、一端で接合された複数のスクリーンからなり、１つの絵本を構成することを特徴とするものである。
【考案の効果】
【００１０】
本考案によれば、立体的な構造を有するスクリーンを用いて、このスクリーンに最適な映像を投影することで、臨場感のある、立体的な映像を楽しむことが可能となる。
【考案を実施するための最良の形態】
【００１１】
以下、本考案を実施するための最良の形態について、図面を参照して詳細に説明する。
【実施例】
【００１２】
以下、図に沿って本考案の一実施例を説明する。
図１は本考案の一実施例を示す構成図である。
１は小型プロジェクタであり、スマートフォン２やパーソナルコンピュータなどに接続され、このスマートフォン２などから出力される映像を投影するものである。
例えば、縦１０ｃｍ、横１５ｃｍ、幅２ｃｍ程度の大きさである。
３はプロジェクタ１から投影された画像を表示するスクリーンであり、本実施例では、駅を摸した外形形状と模様が施されている。
例えば、横４０ｃｍ、縦２０ｃｍ程度の大きさである。
【００１３】
スマートフォン２で、駅を対象として、これが生き物のように動いていたり、色が変化したり、或は装飾が連続的に変化するようなプロジェクションマッピング映像のファイルを選択して、この映像ファイルを再生すると、スマートフォン２からこの映像がプロジェクタ１に出力される。
この映像の選択は、スマートフォン２にインストールされた専用のアプリケーションで行うか、或はインターネットで動画サイトの動画を選択することで行う。
プロジェクタ２は、このスマートフォン２から出力された映像を、拡大して投影する。
【００１４】
プロジェクタ２から投影された拡大映像は、スクリーン３に投射される。
上述の駅のプロジェクションマッピング映像は、駅を摸したスクリーン３の外形とほぼ同じ形状を有しているため、スクリーン３で表現された駅に対して、プロジェクションマッピングが行われているような、疑似体験ができる。
【００１５】
図２は、スクリーン３が、ジグザグにおられた形状を有している場合の実施例である。
この場合は、スクリーンの折れ線で分かれた領域Ａ、Ｂ、Ｃ、Ｄ毎に、画像の台形補正を行い、投影映像は、スクリーン３の夫々の領域の形状に合うように修正される。
この映像の補正は、スマートフォン２或はパーソナルコンピュータで行われる。
このようなジグザグの形状は３次元的なスクリーンを構成するため、より立体感が得られる映像を楽しむことができる。
【００１６】
尚、このジグザグに合わせた映像補正は、利用者の任意に基づくものであり、特に補正を行うことなく投影しても、違和感なく、臨場感ある、また立体感ある映像が楽しめる。
【００１７】
図３は、四角形状の背面スクリーン４の前面に、構造物（本実施例の場合はビル街）を表す形状部分５が設けられたスクリーン３の実施例である。
このスクリーン３は、例えば、構造物の背後に、花火が打ち上げられる映像を投影する場合に用いられる。
背面スクリーン４に花火の映像が投影されるが、構造物を表す形状部分５の影が、背面スクリーンに現れることによって、臨場感ある花火の映像を楽しむことが可能となる。
また、この構造物を表す形状を山、或はお城などとすることによって、同じ花火映像であっても、異なった印象を得ることも可能となる。
【００１８】
図４は、飛び出す絵本をスクリーンとした実施例である。
この実施例では、絵本の複数の見開きのページの夫々をスクリーン３として、そのページ毎に対応した映像が投影される。
例えば、絵本の中に額縁に収まった絵画が立体的に設けられており、この額縁内の絵画が動くような映像が投影される。
また、暖炉の絵に、暖炉の火が燃えている映像が投影される。
また、別のページのスクリーンでは、登場人物や動物に、その顔の表情が変化する映像が投影される。
この絵本のプロジェクションシステムは、本来静止画である絵本に、動きを追加するシステムであり、絵本の世界を、生き生きと表現することが可能となる。
【００１９】
この絵本のプロジェクションシステムでは、例えば、プロジェクタ１にページ認識装置を設けて、各ページを開くと、このページに連動して、自動的にそのページに対応した映像が投影されるようにしてもよい。
【００２０】
本考案は、上述の実施例に限定されるものではなく、例えば、プロジェクタやスクリーンの寸法、形状等は種々変更可能である。
例えば、透明なスクリーンを用いて、このスクリーンの背面から映像を投影するリアプロジェクションシステムとしてもよい。
また、スクリーンの形状や模様は種々変更可能であり、例えばお城や、都市のビル群、山、或は宇宙空間の惑星や宇宙船などを表現するものであってもよい。
更に、プロジェクタは、スマートフォンやパーソナルコンピュータに接続される他、外部記憶媒体が接続されるものであってもよい。
【産業上の利用可能性】
【００２１】
本考案は、小型プロジェクタの使用用途を拡張するものであり、例えば、プロジェクションマッピングの疑似体験を可能とするものである。
また、動きのある絵本のプロジェクションシステムを提供することが可能となる。
【図面の簡単な説明】
【００２２】
【図１】図１は、本考案の第１の実施例の形態に係るプロジェクションシステムの構成を示す図である。
【図２】図２は、本考案の第２の実施例の形態に係るプロジェクションシステムの構成を示す図である。
【図３】図３は、本考案の第３の実施例の形態に係るプロジェクションシステムの構成を示す図である。
【図４】図４は、本考案の第４の実施例の形態に係るプロジェクションシステムの構成を示す図である。
【符号の説明】
【００２３】
１：プロジェクタ
３：スクリーン
【図１】
0003199779.tif 000003
【図２】
0003199779.tif 000004
【図３】
0003199779.tif 000005
【図４】
0003199779.tif 000006